(57)【要約】【課題】例えば枕カバーのような布類に生じている張り付きや皺、気泡の取り込みなどの形状の乱れを取り除いて整形状態にする。また、作業者による手作業を最小限に低減することが可能な布類の整形装置を提供する。【解決手段】処理装置に投入する布類を成形するために、布類を被せるようにセットする整形体を処理装置の投入部近くに設置した構成を有する布類の整形装置であって、整形体２０は、開口部Ｏを開き、被せるようにして布類Ｗをセットする立ち姿勢の本体１５と、本体１５の上部に左右方向に配置されたエア吹き出し部２５と、本体１５を上下方向へ移動可能に設けた昇降部１６とを有し、エア吹き出し部２５は、本体１５に被せた布類Ｗに対して内部からエアを吹出し、布類Ｗの接触部分を剥がすように作用する１個又は２個以上のノズル２８を有している。【選択図】          図５
2008006097.tif 000002
【特許請求の範囲】
【請求項１】
処理装置に投入する布類を成形するために、布類を被せるようにセットする整形体を処理装置の投入部近くに設置した構成を有する布類の整形装置であって、
整形体は、開口部を開き、被せるようにして布類をセットする立姿勢の本体と、本体の上部に左右方向に配置されたエア吹き出し部と、本体を上下方向へ移動可能に設けた昇降部とを有し、エア吹き出し部は、本体に被せた布類に対して内部からエアを吹出し、布類の接触部分を剥がすように作用する１個又は２個以上のノズルを有していることを特徴とする布類の整形装置。
【請求項２】
ノズルは、本体の上部に配置した左右方向に長いエアパイプを有し、そのエアパイプの長手方向に、多数のノズル孔が列設されている請求項１記載の布類の整形装置。
【請求項３】
整形体は、本体に設けられた広げ機構により左右側方へ拡縮可能に設けられた少なくとも一対の整形板を有している請求項１記載の布類の整形装置。
【請求項４】
整形された布類を次の作業のために工程に投入する装置として、整形体から渡される布類を受け取る受け渡し手段を有し、受け渡し手段は、布類を掴み持つクランプ、クランプを往復移動させる受け渡し駆動部及びクランプから布類を受け取るクランプコンベアを有している請求項１記載の布類の整形装置。
【発明の詳細な説明】
【技術分野】
【０００１】
本発明は、処理装置に投入する布類を整形するために、布類を被せる整形体を処理装置の投入部近くに設置した構成を有する、布類の整形装置に関するものである。
【背景技術】
【０００２】
リネンサプライシステムにおいて、例えば枕カバーのような袋状ないしは筒状の布類を洗濯、乾燥処理する場合、袋状ないしは筒状の布類の表裏両面が張り付いた状態になり、内部に入り込んでいる空気を取り除いたり、整形に苦労したりするという問題がある。従来、このような布類の整形に使用するための装置としては、特開２０００−１８９６９９号や、特開２００２−５８８９９号として開示されている装置が提案されている。
【０００３】
特開２０００−１８９６９９号の装置は、衣類を掛ける整形体本体に、左右側方へ突出可能な胴板とアーム状の部材を設け、布類を内部から捌くことができるように設けられている。しかし、張り付いている部分を剥がしたり、乱れを整えたりするには、作業者による迅速な整形作業を必要とする。また特開２００２−５８８９９号の装置は吸引により袋状布類を表裏反転させるものであるが、未だ力不足であり、張り付いている部分を剥がすには、作業者による整形作業が必要である。
【０００４】
【特許文献１】特開２０００−１８９６９９号
【特許文献２】特開２００２−５８８９９号
【発明の開示】
【発明が解決しようとする課題】
【０００５】
本発明は上記の点に着目して成されたもので、その課題は、例えば枕カバーのような布類に生じている張り付きや皺、気泡の取り込みなどの形状の乱れを取り除いて整形状態にすることである。また、本発明の他の課題は、作業者による手作業を最小限に低減することが可能な布類の整形装置を提供することである。
【課題を解決するための手段】
【０００６】
前記の課題を解決するため、処理装置に投入する布類を整形するために、布類を被せるようにセットする整形体を処理装置の投入部近くに設置した構成を有する布類の整形装置について、整形体は、開口部を開き、被せるようにして布類をセットする立姿勢の本体と、本体の上部に左右方向に配置されたエア吹き出し部と、本体を上下方向へ移動可能に設けた昇降部とを有するものとし、エア吹き出し部は、本体に被せた布類に対して内部からエアを吹出し、布類の接触部分を剥がすように作用する１個又は２個以上のノズルを有するものとするという手段を講じたものである。
【０００７】
本発明が対象とする布類は、例えば前記の枕カバーのような袋状の構造を有する布類である。これらの布類は、アイロナーなどにより表面と裏面が合わさったり、空気を取り込んで気泡を作ったりし易く、一旦気泡が形成されると、その部分が膨らみとなって残存する傾向がある。同じようなことは、他にもＴシャツ型の衣類や筒状の布類にも言えることであり、また、いずれも開口部を有しており、構造の類似するものであるから、枕カバーと同様に本発明に係る布類の整形装置によって整形することができるものに該当すると言って良い。
【０００８】
これらの布類は、開口部を開き、整形体に被せるようにして、本体にセットする。本体は立姿勢を取り、その状態において、布類を本体に被せるようにセットするものである。整形体は本体を有しており、布類を被せるようにセットすることにより、対象とする布類をほぼ広げて、取り付けることができるような大きさ及び形状を有しているものとする。このような整形体には、さらに、本体に設けられた広げ機構により左右側方へ拡縮可能に設けられた少なくとも一対の整形板を有するものとすることができる。この整形板は布類を内側から捌くようにして、張り付いた箇所があればそれを剥がし、また、皺を伸ばすように作用する。
【０００９】
本体の上部には、左右方向に配置されたエア吹き出し部が備え付けられている。エア吹き出し部は、本体に被せた布類に対して内部からエアを噴出するものであり、従って、布類の接触部分を剥がすように作用する。よって、前記整形板により布類を捌くと同時にエアを作用させることができるので、布類の張り付きを剥がすために有効である。そのようなエア吹き出し部は、１個又は２個以上のノズルを有するものとする。
【００１０】
エア吹出し部は、本体の上部において、左右方向のほぼ全幅に亘って設けられていることが望ましい。左右方向のほぼ全幅に亘ることが望ましいエア吹き出し部は、例えば、そのノズルが、本体の上部に配置した左右方向に長いエアパイプを有し、そのエアパイプの長手方向に、多数のノズル孔が列設されている、という形態を取ることができる。エア吹き出し部としては、他にも、例えばスリット状の形態を取り得るが、形態がスリット状の場合には１個のノズルのこともある。
【００１１】
エアの噴出し方向は、上方かつ後方であることが望ましい。上方は、投入部の位置する方向でもあるが、整形体本体に被さっている布類を膨らませるのに有効である。また、後方は、整形体本体に被さっている布類を前後方向へ拡げるような方向であり、作業者にとって正面から向う側へ離れる方向である。従って、本発明のエア吹出し部が、どのような形態を取るとしても、上方、後方は有効性が高いが、必要があればそれ以外の方向へ吹き出させるようにしても良い。
【００１２】
本発明に係る布類の整形装置で整形された布類を次の作業のために、工程に投入する装置として、布類投入装置が設置されている。布類投入装置への投入のために、本体には、その内部に設けられた内部シリンダーと、外部に設けられた外部シリンダーが組み合わされ、整形体を支持する支持柱を、外部シリンダーによって昇降可能に支持していることにより、内部シリンダーによる昇降と合わせて２段階の昇降が可能になる。この２段階の昇降構成により、布類をより低い位置にて整形体に取り付け、また、より高い位置にて、次工程に投入することが可能になる。
【００１３】
布類投入装置は、本発明に係る布類の装置の上方に設定され、整形体から渡される布類を受け取る受け渡し手段を有し、受け取った布類は、受け渡し手段を経て搬送コンベアに投入される。投入手段は、布類の受け渡しのためのクランプと、クランプを前後方向へ往復移動させるための受け渡し駆動部、クランプから渡される布類を受け取るクランプコンベア、その下流にて布類Ｗを搬送するメインコンベアなどを有している。
【００１４】
上記の内、クランプ、受け渡し駆動部及びクランプコンベアは、受け渡し手段を構成する。クランプは、上昇した整形体から布類を受け取り、クランプコンベアに預け渡すもので、そのために開閉して布類の先端部を文字通りクランプする。クランプは、開閉するとともに、クランプした布類をクランプコンベアに預け渡すときに、クランプコンベアの上面側にてこそげるようにして整形する手段を併用することができる。
【発明の効果】
【００１５】
本発明は上記のように構成されかつ作用するものであるから、本体に被せた布類に対して内部からエアを吹出し、布類の接触部分を剥がすことができ、例えば枕カバーのような布類に生じている張り付きや皴、気泡の取り込みなどの形状の乱れを取り除いて整形状態にすることができるという効果を奏する。また、本発明によれば、手の届かない本体の内部にてエアを噴射して布類に整形を行うので、作業者による作業を有効に補佐し、手作業を最小限に低減することができる。
【発明を実施するための最良の形態】
【００１６】
以下図示の実施形態を参照し、本発明に係る布類の整形装置１０の一例についてより詳細に説明する。図１は本発明に係る布類の整形装置１０を、布類投入装置３０の正面下部に配置した場合の例であり、整形体２０は、基部１１に支持柱１２を用いて立姿勢を取るように設置した本体１５と、本体１５を上下方向へ移動可能に設けた昇降部１６と、後述するエア吹き出し部２５を有している。図４参照。
【００１７】
本体１５には、その内部に設けられた内部シリンダー１３と、基部１１に設けられた外部シリンダー１４が設置されている。整形体２０を支持する支持柱１２を、外部シリンダー１４によって昇降可能に支持していることにより、内部シリンダー１３による昇降と合わせて２段階の昇降が可能になる。この２段階の昇降構成により、布類Ｗをより低い位置にて整形体２０に取り付けることが可能になり、かつ、より高い位置にて、次工程に投入することが可能になる。なお、布類Ｗは、袋状布類である枕カバーを対象としており、１箇所の開口部Ｏだけを有している。図５参照。
【００１８】
整形体２０には、広げ機構により左右側方へ拡縮可能に本体１５に設けられた左右１対の整形板１７、１８を有している。整形板１７、１８は、本体１５の左右に一端を軸支され、かつ、平行リンク１９、２１により結合されたリンクアーム２２、２３の他端に軸支され、左右外方へ拡大し、また、逆に内方へ収縮可能な広げ機構により本体１５に取り付けられている。２４は幅調整用シリンダーであり、ベルクランク型のリンクアーム２２、２３の内側アームに軸支しており、同シリンダー２４の伸縮に伴い、外側アームを回転させることで、整形板１７、１８の左右の幅を拡大収縮させる構成を取る。
【００１９】
本体１５の上部には、その左右方向に配置されたエア吹き出し部２５が備え付けられている。エア吹き出し部２５は、本体１５に被せた布類Ｗに対して内部からエアを噴出することにより、布類Ｗの接触部分を剥がすように作用するもので、前記整形板１７、１８により布類Ｗを捌くと同時にエアを作用させて、布類Ｗに生じている張り付きを剥がすものである。
【００２０】
図示のエア吹出し部２５は、本体１５の上端に設けた支持体２６の後面に設置されており、半円形状のカバー２７、２７′の内部に縦通させた１本のパイプ状のものである。このパイプ状のエア吹き出し部２５は、本体１５の左右方向のほぼ全幅に亘って設けられている。更にエア吹き出し部２５には、エアパイプの長手方向に、多数のノズル孔２８を列設するという形態を取る。ノズル孔２８は、全て同じ方向を向いており、その向きは、整形体本体に被さっている布類Ｗを持ち上げるために上方、かつ、整形体本体に被さっている布類Ｗを前後方向へ拡げるために後方である。
【００２１】
カバー２７、２７′は本体１５の上端部の前後両面に設けられ、半円形状の断面形状を有していることにより、布類Ｗを被せたとき、或いは被せた布類Ｗを剥がすときに、引っ掛からないという利点を有している。エア吹き出し部２５のパイプは、後面のカバー２７内にのみ設けられており、そのカバー２７の後面の上部かつ後部には、上方かつ後方へのエアの噴出し方向へエアを吹出させるために、ノズル孔２８と同位置に同数個の窓孔２９が形成されている。
【００２２】
布類投入装置３０は、本発明に係る布類の整形装置１０で整形された布類Ｗを次の作業のために工程に投入する装置であり、本発明の装置１０の上方に設定された、布類Ｗの受け渡しのためのクランプ３１、クランプ３１をモーター３２ａにより作動する回転ベルト３２ｂを用いて前後方向へ移動させるための受け渡し駆動部３２、クランプ３１から布類Ｗを受け渡されるクランプコンベア３３、その下流にて布類Ｗを受け取るメインコンベア３４、クランプコンベア３３に布類Ｗを吸着させるためのバキュームファン３５などを有している。図９、図１０参照。クランプ３１は布類Ｗを挟んで保持し、バキュームファン３５は、クランプコンベア３３の下面から作用する吸引口３５ａにて吸引力を布類Ｗに及ぼす。
【００２３】
上記の内、クランプ３１、受け渡し駆動部３２及びクランプコンベア３３は、受け渡し手段を構成する。クランプ３１は、上昇した整形体２０から布類Ｗを受け取り、クランプコンベア３３に預け渡すもので、そのために開閉して布類Ｗの先端部を文字通り掴み持つようにする。クランプ３１は、掴みシリンダー３６により開閉して布類Ｗを掴みまた離す動作をするとともに、クランプした布類Ｗをクランプコンベア３３に預け渡すときに、クランプコンベア３３の上面側にてこそげるようにして布類Ｗを整形するブラシ状のこそげ手段３７を有している。３８はバイパスコンベアであり、クランプ部をバイパスして布類Ｗをメインコンベア３４に直接投入する場合に使用する。また、３９は回転用シリンダーであり、こそげ手段３７をクランプ３１とともにクランプコンベア３３の移動方向へ回転させる。４０は駆動ローラー、４１は張力調整部、４２は再加圧用ローラーであり、搬送中の布類Ｗに対して圧力を加え最終的に脱気作用を行なう。
【００２４】
このように構成された本発明に係る装置１０により布類Ｗを投入するときには、図３又は図８に示した低い位置において、整形体２０に布類Ｗを掛けるものとする。その際、作業者は、布類Ｗの開口部Ｏを開いて、整形体本体に上方から被せるようにする。図５Ａ、図５Ｂ又は図７ａ参照。そして、整形体２０に被せた布類Ｗの内部では、エア吹き出し部２５の多数のノズル孔２８から、上方かつ後方へ向けてエアを噴射する。エアは、整形体２０に被さっている布類Ｗを持ち上げる方向及び整形体２０に被さっている布類Ｗを前後方向へ拡げる方向に作用する。
【００２５】
次いで、外部シリンダー１４の伸張により整形体２０を上昇させる（図８Ｂ）、さらに内部シリンダー１３の伸張により、２段階に、布類Ｗをクランプ３１に向けて上昇させる（図８Ｃ）。このような布類Ｗの上昇中にもノズル孔２８からエアが噴射し続けるので、枕カバーなどの布類内面と整形体間に空気層が形成されることになり、布類Ｗが抵抗なく整形体に被さるようになる。図７ｂ参照。また、布類Ｗの表裏両面が張り付いているような場合でも、整形板１７、１８が左右の幅を拡大収縮するのと同時に、空気が布類Ｗを膨らませるように作用するので、引っ掛かりを生じることも無く整形作業が進行する。このため、整形板１７、１８に掛かる負荷は少なく、左右のずれも無くなる（図７ｃ）。
【００２６】
作業者は、布類Ｗの下部を持って、下へ引っ張るようにすれば速やかに整形が進み、その負担は軽減される。図７ｄ参照。整形を完了した布類Ｗは、シリンダー１３、１４の伸張により、クランプ３１に保持される位置に到達する（図１１ａ）。次に、掴みシリンダー３６の作動によりクランプ３１が閉じ（図１１ｂ）、受け渡し駆動部３２の起動によりクランプコンベア３３の上面に布類Ｗを誘導し（図１１ｃ）、クランプコンベア３３の基端平面部３３ａに載った布類Ｗに対して、バキュームファン３５により下面から作用する吸引口３５ａにて吸引力を布類Ｗに及ぼす（図１１ｄ）。布類に対する誘導、吸引と同時に、クランプ部は、回転シリンダー３９の作動によりクランプコンベア３３の移動方向へ回転し（図１１ｄ〜ｅ）、その回転動作により、ブラシ状のこそげ手段３７はこそげ作用を布類Ｗに及ぼしながら、布類Ｗをクランプコンベア３３の基端平面部３３ａにリリースする（図１１ｆ）。かくして、布類Ｗは整形された状態になり、メインコンベア３４から処理工程に投入される。
【図面の簡単な説明】
【００２７】
【図１】本発明に係る布類の整形装置を投入装置と組み合わせた一例を示す正面図。
【図２】図１のものの側面図。
【図３】図１の布類の整形装置の収縮状態を示すもので、Ａは正面図、Ｂは側面図。
【図４】同じく布類の整形装置の伸張状態を示すもので、Ａは正面図、Ｂは側面図。
【図５】同じく布類の整形装置を示すもので、Ａは部分拡大側面図、Ｂは収縮状態の側面図、Ｃは伸張状態の側面図。
【図６】本発明におけるエア吹出し部を示すもので、Ａは部分正面図、Ｂは同じく部分側面図。
【図７】本発明に係る布類の整形装置による作用を、工程ａ、ｂ、ｃ、ｄを追って示す説明図。
【図８】図１のものの収縮時、第１段伸張時、第２段伸張時の段階ａ、ｂ、ｃを追って示す側面図。
【図９】投入装置への預け渡し部を示す部分正面図。
【図１０】図９のものの側面図。
【図１１】本発明の整形装置により投入装置へ布類を投入する過程ａ、ｂ、ｃ、ｄ、ｅ、ｆを示す説明図。
【符号の説明】
【００２８】
１０  布類の整形装置
１１  基部
１２  支持柱
１３  内部シリンダー
１４  外部シリンダー
１５  本体
１６  昇降部
１７、１８  整形板
１９、２１  平行リンク
２０  整形体
２２、２３  リンクアーム
２４  幅調整用シリンダー
２５  エア吹き出し部
２６  支持体
２７、２７′  カバー
２８  ノズル孔
２９  窓孔
３０  布類投入装置
３１  クランプ
３２  受け渡し駆動部
３３  クランプコンベア
３４  メインコンベア
３５  バキュームファン
３６  つかみコンベア
３７  こそげ手段
【図１】
2008006097.tif 000003
【図２】
2008006097.tif 000004
【図３】
2008006097.tif 000005
【図４】
2008006097.tif 000006
【図５】
2008006097.tif 000007
【図６】
2008006097.tif 000008
【図７】
2008006097.tif 000009
【図８】
2008006097.tif 000010
【図９】
2008006097.tif 000011
【図１０】
2008006097.tif 000012
【図１１】
2008006097.tif 000013